(57)【要約】【課題】  本発明の目的は、オートロック式自動ドアにおいて、簡単な構成で、侵入者による不正なドア開扉を防止することができる不正開扉防止具を提供する。【解決手段】  オートロック式自動ドアの不正開扉防止具１０であって、断面略Ｌ字状の取付部材１１を少なくとも一つ備え、取付部材１１は、自動ドア３０に一つの面を当接させ、自動ドア３０に生じる隙間を被覆して配設される。【選択図】  図１
2006070501.tif 000002
【特許請求の範囲】
【請求項１】
オートロック式自動ドアの不正開扉防止具であって、
断面略Ｌ字状の取付部材を少なくとも一つ備え、前記取付部材は、前記自動ドアに一つの面を当接させ、前記自動ドアに生じる隙間を被覆して配設されることを特徴とする不正開扉防止具。
【請求項２】
前記取付部材は、室内側または室外側を向いたドア面に一方の面が取り付けられ、他方の面が室内側から室外側、または室外側から室内側へ延出して配設されることを特徴とする請求項１記載の不正開扉防止具。
【請求項３】
前記取付部材には断面略Ｌ字状の補助部材が係合され、該補助部材が前記自動ドアから突出して前記隙間を被覆することを特徴とする請求項１記載の不正開扉防止具。
【請求項４】
前記補助部材は樹脂またはゴムからなることを特徴とする請求項３記載の不正開扉防止具。
【請求項５】
前記隙間は前記自動ドアのドア下端部と、前記開口部の下辺との間に生じる隙間であることを特徴とする請求項１記載の不正開扉防止具。
【請求項６】
前記隙間は引分けタイプのドア間の隙間、または片引きタイプのドアと開口部との間に生じる隙間であることを特徴とする請求項１記載の不正開扉防止具。
【請求項７】
前記取付部材または補助部材は前記自動ドアの枠部に取着されることを特徴とする請求項１記載の不正開扉防止具。
【請求項８】
前記補助部材は前記自動ドアのガラス面に取着されることを特徴とする請求項１記載の不正開扉防止具。
【請求項９】
前記取付部材は金属からなり、該取付部材には固着部材の取付穴が設けられていることを特徴とする請求項１記載の不正開扉防止具。
【請求項１０】
前記取付穴は長穴であり、前記固着部材は前記長穴内で移動可能とされ、固定位置を調整可能とされたことを特徴とする請求項９記載の不正開扉防止具。
【請求項１１】
前記取付穴は、前記自動ドアの上下方向に延出する第１の取付穴と、該第１の取付穴から左方向に延出する第２の取付穴と、前記第１の取付穴から右方向に延出する第３の取付穴を備え、前記第２の取付穴と第３の取付穴は位置をずらして配置されていることを特徴とする請求項９記載の不正開扉防止具。
【発明の詳細な説明】
【技術分野】
【０００１】
本発明は自動ドアの不正開扉防止具に係り、特に、オートロック式自動ドアの不正な開扉を防止する不正開扉防止具に関する。
【背景技術】
【０００２】
現在、日本国内には、４４，７００，０００戸、およそ４００，０００棟のマンションが存在すると言われている。
従来より、マンションなどの建物では、外部からの不正な侵入を防止するために、オートロック式自動ドアが採用されている。
オートロック式自動ドアは、ドアが一旦閉まると自動的にロックする。建物内に入る場合は、居住者であれば住居の鍵を使用したり、操作パネルに暗証番号を入力することにより、自動ドアを開扉させて中に入ることができる。また、来訪者であれば、操作パネルに部屋番号を入力し、建物内部にいる居住者に連絡をとって、自動ドアを室内から開扉してもらい、建物内に入ることが可能となる。
【０００３】
一方、建物内部から外へ出る場合は、建物内部の自動ドア付近に設けられたセンサが人物を感知し、この感知に連動して自動ドアが開くようになっているため、居住者は特別な操作をすることなく自由に外に出ることが可能である。
【０００４】
図２０に、一般的なオートロック式自動ドアの構成を示す。
オートロック式自動ドアは、建物の開口部に設けられたドア１０１と、ドア開扉用の操作パネル１０２と、建物内部のドア付近に設けられたセンサ１０３とを備えて構成されている。図２０は、建物外側から見た状態を示しているため、センサ１０３は鎖線にて示している。
自動ドアの駆動機構は開口部の上部に設けられ、ドア１０１はこの駆動機構から吊り下げられている。
【０００５】
ドア１０１の下部には振れ止め１０４が設けられており、この振れ止め１０４が開口部下方に設けられたガイドレール１０５内を摺動する。
図示されているように、ドア１０１は上方から吊り下げられてスライドされる構成であるため、振れ止め１０４が設けられている箇所以外では、ドア１０１と開口部下辺（すなわち開口部の地面）との間にはわずかな隙間が形成されている。
【０００６】
従来のオートロック式自動ドアでは、この隙間から紙や薄板状のものを差し込み、内部のセンサ１０３に検知させて、自動ドアを不正に開くという手法で、不正な侵入を許してしまうという問題があった。
【０００７】
不法な侵入がなされると、侵入者によるピッキングやドアの破壊など、さらなる被害が想定される。また、物盗りだけでなく、現在では、ストーカー犯罪や誘拐事件など、犯罪が多様化しており、一刻も早い対応が望まれている。
【０００８】
上記不正侵入を防止したオートロック式自動ドアとして、特許文献１に示す構成のものが提案されている。
特許文献１のオートロック式自動ドアは、ドアの内外にセンサを設け、外部のセンサが人や物などを感知しているときに、同時に内部側のセンサが人や物などを感知したときには、外部から、薄板状の物を挿入することによる不正行為がなされたものとして、ドアをロックするように構成されている。
【０００９】
【特許文献１】実用新案登録第３１０３４９６号公報（第３頁）
【発明の開示】
【発明が解決しようとする課題】
【００１０】
上記特許文献１の技術では、侵入者がドア入り口に立った状態で、ドアの隙間から紙などを挿入して、ドア内部のセンサを働かせて不正にドアを開けようとしたときに、ドア内外のセンサが同時にこれを感知し、ドアがロックされるので、不正な侵入を防止することが可能となる。
しかし、特許文献１の技術では、ドア外部へのセンサの取り付けが必要であった。また、センサに連動したドアロックのためのスイッチ回路を新たに設ける必要があり、既存のオートロック式自動ドアに取り付けるには手間とコストがかかるという不都合があった。
【００１１】
本発明の目的は、オートロック式自動ドアにおいて、簡単な構成で、侵入者による不正なドア開扉を防止することができる不正開扉防止具を提供することにある。
【課題を解決するための手段】
【００１２】
前記課題は、請求項１に係る不正開扉防止具によれば、オートロック式自動ドアの不正開扉防止具であって、断面略Ｌ字状の取付部材を少なくとも一つ備え、前記取付部材は、前記自動ドアに一つの面を当接させ、前記自動ドアに生じる隙間を被覆して配設される、ことにより解決される。前記取付部材は、室内側または室外側を向いたドア面に一方の面が取り付けられ、他方の面が室内側から室外側、または室外側から室内側へ延出して配設される。
【００１３】
本発明の不正開扉防止具を使用することにより、自動ドアに生じる隙間を遮蔽することができ、隙間から紙などの薄板状物が挿入されるのを阻止し、自動ドアの不正な開扉を確実に防止することが可能となる。
【００１４】
なお、前記取付部材に、断面略Ｌ字状の補助部材が係合され、該補助部材が前記自動ドアから突出して前記隙間を被覆するようにすると、隙間が完全に遮蔽され好適である。前記補助部材は、具体的には樹脂またはゴムから形成されている。
【００１５】
前記隙間とは、前記自動ドアのドア下端部と、前記開口部の下辺との間に生じる隙間である。或いは、前記隙間は引分けタイプのドア間の隙間、または片引きタイプのドアと開口部との間に生じる隙間である。
【００１６】
前記取付部材または補助部材は前記自動ドアの枠部に取着される。また、枠部を備えていないドアの場合は、樹脂またはゴムからなる補助部材がガラス面に取着される。これにより、ガラス面を傷つけることなく、隙間の被覆を行なうことができる。
取付部材は金属からなり、固着部材の取付穴が設けられている。
【００１７】
なお、取付部材に取付穴を設ける場合、取付穴を長穴とすると好適である。前記固着部材は前記長穴内で移動可能とされ、固定位置を調整可能とされているので、この長穴内で固着部材の位置を調整し、最適な位置に固着部材を取り付けることが可能である。
【００１８】
前記取付穴は、前記自動ドアの上下方向に延出する第１の取付穴と、該第１の取付穴から左方向に延出する第２の取付穴と、前記第１の取付穴から右方向に延出する第３の取付穴を備え、前記第２の取付穴と第３の取付穴は位置をずらして配置されている。このような構成により、固着部材を、一箇所ではなく、分散させて複数の位置に取り付けることができる。よって、しっかりと安定良く、しかも取り外しが困難な状態で、不正開扉防止具をドアに取り付けることが可能となる。
【発明の効果】
【００１９】
本発明の不正開扉防止具によれば、従来のように、センサや制御システムなどの高価な装置を用いることなく、簡単な構成で、オートロック自動ドアでの不正開扉を確実に防止することが可能となる。
また、本発明の不正開扉防止具は、専門的な知識や技能を必要とすることなく、誰でも簡単に設置することが可能であり、迅速に防犯に役立てることができる。
【発明を実施するための最良の形態】
【００２０】
以下、本発明の一実施形態について、図を参照して説明する。なお、以下に説明する部材、配置等は、本発明を限定するものではなく、本発明の趣旨に沿って各種改変することができることは勿論である。
図１乃至図１４は本発明に係る不正開扉防止具の一実施例を示すものであり、図１は自動ドアに不正開扉防止具を取り付けた状態を示す説明図、図２は図１の断面図、図３は本発明の不正開扉防止具の取付部材の正面図、図４は不正開扉防止具の取付部材の斜視図、図５は取付部材の拡大図、図６は取付部材のねじ取付穴の拡大図、図７は取付部材のねじ取付穴形成箇所の拡大図、図８は固着部材の説明図、図９は取付部材の断面図、図１０は補助部材の斜視図、図１１は補助部材の拡大図、図１２（ａ），（ｂ）は取付部材と補助部材の係合を示す説明図、図１３は自動ドアの構成を示す説明図、図１４はドア下方に取り付けられる不正開扉防止具を示す説明図である。
【００２１】
図１及び図２に示すように、本例の不正開扉防止具１０は、取付部材１１と補助部材１５とから構成されており、自動ドアのドア部材３１に取り付けられ、自動ドアに生じる隙間を被覆するものである。取付部材１１と補助部材１５は長尺の板状に形成されている。
【００２２】
取付部材１１は、図３及び図４に示すように、断面略Ｌ字状の長尺部材である。取付部材１１は、例えばアルミニウムや、ステンレス等の金属から形成されている。取付部材１１には、自動ドア３０に取り付けるときに使用される取付穴１２が形成されている。
【００２３】
取付部材１１は、上記取付穴１２に、固着部材としてのねじ２０を配設することにより、オートロック式の自動ドア３０に取り付けられる。ねじ２０は、図８に示すように、頭部２１と脚部２２を備えている。
【００２４】
ねじ取付穴１２は、取付部材１１の両端部と、略中央部の三箇所に形成されている。ねじ取付穴１２は、取付部材１１に、スリット状の切り欠きを設けることにより形成されている。
ねじ取付穴１２には、固着部材としてのねじ２０が配設され、このねじ２０により、不正開扉防止具１０が自動ドア３０に取り付けられる。
【００２５】
ねじ取付穴１２は、図６に示すように、自動ドア３０の上下方向に形成された第１の取付穴１２ａと、第１の取付穴１２ａから左方向に延出する第２の取付穴１２ｂと、第１の取付穴１２ａから右方向に延出する第３の取付穴１２ｃとから構成されている。
第２の取付穴１２ｂと第３の取付穴１２ｃは、位置をずらして形成されており、同一線上に位置しないように構成されている。
【００２６】
ねじ取付穴１２は、上記のように、上下方向及び左右方向に所定長さを有して形成されており、これにより、ねじ２０の取付位置を調整しながら、所望の位置に取り付けることが可能である。
すなわち、ねじ取付穴１２の範囲内であれば、どの場所であってもねじ２０を取り付けることが可能である。
【００２７】
また、第１乃至第３の取付穴が設けられており、第２の取付穴１２ｂと第３の取付穴１２ｃは位置をずらして形成されているので、ねじ２０を、一箇所ではなく、分散された複数の位置に取り付けることができる。よって、しっかりと安定良く、不正開扉防止具１０を自動ドア３０に取り付ることが可能となる。
【００２８】
また、ねじ取付穴１２は、図７に示すように、取付部材１１の端部との間に、アキ１１ｂをもって形成されている。このように、アキ１１ｂを設けることにより、不正開扉防止具１０を自動ドア３０に取り付けるときに、取付部材１１の変形を防止し、また取付部材１１の強度を保つことが可能である。
【００２９】
図９は、ねじ取付穴１２が設けられた部分の取付部材１１の断面図である。図示されているように、ねじ取付穴１２は、ねじ２０の脚部２２の径よりも若干広めの幅に形成され、ねじ取付穴１２に沿ってねじ２０が移動できるように形成されている。
【００３０】
また、ねじ取付穴１２の縁部には、テーパー部１２ｄが設けられている。テーパー部１２ｄは、取付部材１１の表面１１ｃ側に設けられる。このテーパー部１２ｄには、ねじ２０が配設されたときに、ねじ２０の頭部２１が係合する。このテーパー部１２ｄにより、ねじ２０を収まり良く配設することが可能となる。
【００３１】
また、取付部材１１には、図４及び図５に示すように、折り返し部１３が設けられている。折り返し部１３は、取付部材１１の面１１ａに対し、略直角をなす面として形成されている。折り返し部１３は、取付部材１１の長手方向の一辺に形成されている。折り返し部１３は、図５に示すように、本体部１３の表面１１ｃ側が山になり、裏面１１ｄ側が谷になるように折り返される。
【００３２】
折り返し部１３は、次述する補助部材１５との係合部として使用される。折り返し部１３には、ねじ穴１４が設けられており、このねじ穴１４に配設されるねじにより、補助部材１５と連結される。
【００３３】
折り返し部１３は、補助部財１５との連結部として機能する他、折り返し部１３を設けることにより、取付部材１１の強度を高めることが可能となる。取付部材１１の強度が高まることにより、不正開扉防止具１０を無理やり変形させて、隙間から薄板状物を差し込むという行為を未然に防止することができる。
【００３４】
次に、補助部材１５について説明する。補助部材１５は、図１０に示すように、断面略Ｌ字状の長尺部材からなる。補助部材１５は、樹脂またはゴムから形成されており、例えば耐候性に優れたシリコンラバー、機械的強度及び耐候性に優れたクロロピレンゴム（ＣＲ）、ウレタンから形成されている。
【００３５】
図１１は補助部材１５の拡大図である。図示されているように、補助部材１５には、取付部材１１に接続するための折り返し部１７が設けられている。そして、この折り返し部１７には、取付穴１６が形成されている。取付穴１６は、長穴として形成されており、ねじの取り付け位置を簡単に調整できるように構成されている。
【００３６】
図１２は、上記取付部材１１と補助部材１５とを組み合わせた状態を示す断面図である。図１２（ａ）に示されているように、不正開扉防止具１０は、取付部材１１と補助部材１５とから構成されている。そして、図１２（ｂ）に示すように、取付部材１１の折り返し部１３と、補助部材１５の折り返し部１７を係合させて固定することにより、不正開扉防止具１０が形成される。
【００３７】
次に、上記構成からなる不正開扉防止具１０を、オートロック式の自動ドア３０に取り付ける工程について説明する。
オートロック式の自動ドア３０は、図１３で示すように、建物の開口部１に設けられている。自動ドア３０のドア部材３１は、ガラスや木、或いはステンレス等から形成されている。図１３に示すドア部材３１は、周囲に枠部３２が設けられている。
自動ドア３０は、図示しない駆動機構により開閉駆動され、駆動機構から吊り下げられている。ドア部材３１には振れ止め３３が設けられており、この振れ止め３３が開口部下方に設けられたガイドレール３４内を摺動する。
本例の不正開扉防止具１０は、自動ドア３０に生じる隙間を被覆するように取り付けられる。
【００３８】
図１，図２，図１４に、本例の不正開扉防止具１０で自動ドア３０の下方に生じる隙間を被覆する構成を示す。
本例で使用する不正開扉防止具１０は、図１４に示すように、一つの取付部材１１に対して、三つの補助部材１５を取り付けた構成とされている。このような構成の不正開扉防止具１０を使用することにより、ドア部材３１との連結箇所を最小限にすることができ、不正開扉防止具１０の取付の手間を低減させることが可能となる。
【００３９】
不正開扉防止具１０は、図１及び図２に示すように、ドア部材３１の下端部と開口部１の下辺（すなわち、開口部の地面１ａ）との間に生じる隙間を塞ぐように配設される。
不正開扉防止具１０は、室内側から取り付けられる。このとき、図１に示すように、取付部材１１がドア部材３１の枠部３２に当接されると共に、折り返し部１３が室内側から外方へ突出するように取り付けられる。
【００４０】
不正開扉防止具１０をドア部材３１に取り付けるときは、まず、ドア部材３１を開いた状態として、不正開扉防止具１０をガイドレール３４内に位置させる。次に、ドア部材３１を閉止させる。これにより、ガイドレール３４内に位置された不正開扉防止具１０の取付部材１１の上に、ドア部材３１が位置する。
【００４１】
不正開扉防止具１０の上にドア部材３１が位置したら、取付部材１１のねじ取付穴１２にねじ２０を配設して、不正開扉防止具１０をドア部材３１に取り付ける。
【００４２】
不正開扉防止具１０がドア部材３１に取り付けられたとき、図１及び図２に示すように、補助部材１５はドア部材３１の下方から突出してガイドレール３４内に入り込んでいる。こうして、自動ドア３０の下方の隙間が、不正開扉防止具１０により完全に塞がれ、建物外からの薄板状物の挿入が不可能となる。本例では、補助部材１５は、シリコンラバーから形成されているので、万一ガイドレール３４に触れることがあっても、ガイドレール３４を傷つけることがない。
【００４３】
不正開扉防止具１０は、ガラス製ドアの枠部３２、木製ドア、金属製ドア等、ねじ２０を固定できるものであれば、どのような素材であっても取り付けることが可能である。
なお、ガラス製の自動ドアのなかには、枠部３２を備えていない構成のものがある。この場合は、図１５に示すように、シリコンラバーから形成されている補助部材１５を両面テープや接着剤を使用して取り付けることができる。これにより、ガラスを傷つけることなく隙間の被覆を行なうことが可能となる。また、シリコンラバーであるため、ガラスになじみ良く配設することが可能となる。
【００４４】
また、自動ドア３０には、ガイドレール３４を備えていない構成のものもある。この場合は、図１６に示すように、取付部材１１のみを取り付けても良い。このとき、取付部材１１が床面を擦らないように、床面との間に、薄板状物を通さない程度の適度な隙間を設けて配設すると良い。
【００４５】
図１６の例において、取付部材１１の代わりに、シリコンラバーから形成されている補助部材１５を両面テープや接着剤を使用して取り付けても良い。特に、自動ドア３０がガラス製であり、枠部を備えていない場合は、補助部材１５であれば簡単に取り付けることができる。
【００４６】
また、自動ドアには、フラットなドアではなく、表面が湾曲した曲線状のデザインのものがある。このような自動ドアの場合は、不正開扉防止具１０の形状を、ドアの表面形状に合わせた形状とすると良い。
【００４７】
さらに、図１７に示すように、本例の不正開扉防止具１０を、引分けタイプの自動ドア３０において、ドア部材３１の間に生じる隙間に適応しても良い。この場合は、ドア部材３１の側面に、不正開扉防止具１０の取付部材１１または補助部材１５を取着する。
同様に、片引きタイプの自動ドア３０において、ドア部材３１と開口部１との間に生じる隙間に適応しても良い。
【００４８】
また、上記実施例では、取付部材１１を金属から形成した例を示したが、これに限らず、取付部材１１を樹脂またはゴムから形成しても良い。また、補助部材１５を樹脂またはゴムから形成した例を示したが、これに限らず、補助部材１５を金属から形成しても良い。
さらに、上記実施例では、不正開扉防止具１０を、室内側に取り付ける例を示したが、これに限らず、室外側に取り付けても良い。室外に取り付ける場合は、固着部材として、一度締めたら外すことが困難なワンウェイねじ等を用いると良い。
【００４９】
また、上記実施例では、ねじ取付穴１２が上下及び左右方向に延長する長尺形状に形成された構成を示したが、上下方向または左右方向のいずれか一方のみに設けられた構成であっても良い。
或いは、図１８に示すように、ねじ取付穴１２の両端部側でのみ、ねじ２０を固定する構成としても良い。
さらに、図１９に示すように、複数のねじ穴１２ｅを連続させた構成としても良い。このような形状とすることにより、ねじ２０の位置決めを容易に行うことが可能となる。
【図面の簡単な説明】
【００５０】
【図１】本発明の不正開扉防止具を自動ドアに取り付けた状態を示す説明図である。
【図２】図１の断面図である。
【図３】本発明の不正開扉防止具の取付部材の正面図である。
【図４】本発明の不正開扉防止具の取付部材の斜視図である。
【図５】取付部材の拡大斜視図である。
【図６】取付部材のねじ取付穴の拡大図である。
【図７】取付部材のねじ取付穴形成箇所の拡大図である。
【図８】固着部材の説明図である。
【図９】取付部材の断面図である。
【図１０】補助部材の斜視図である。
【図１１】図１０の要部拡大図である。
【図１２】取付部材と補助部材を組み付けて不正開扉防止具を形成した状態を示す説明図である。
【図１３】自動ドアの構成を示す説明図である。
【図１４】自動ドアの下方の隙間を遮蔽する際に用いられる不正開扉防止具を示す説明図である。
【図１５】不正開扉防止具の他の取り付け状態を示す説明図である。
【図１６】不正開扉防止具の他の取り付け状態を示す説明図である。
【図１７】不正開扉防止具でドア間の隙間を遮蔽した状態を示す説明図である。
【図１８】ねじ取付穴の他の形状を示す説明図である。
【図１９】ねじ取付穴の他の形状を示す説明図である。
【図２０】一般的なオートロック式自動ドアを示す説明図である。
【符号の説明】
【００５１】
１  建物の開口部
１ａ  地面
１０  不正開扉防止具
１１  取付部材
１１ａ  取付部材の面
１１ｂ  アキ
１１ｃ  取付部材の表面
１１ｄ  取付部材の裏面
１２  ねじ取付穴
１２ａ  第１の取付穴
１２ｂ  第２の取付穴
１２ｃ  第３の取付穴
１２ｄ  テーパー部
１３  折り返し部
１４  ねじ穴
１５  補助部材
１６  取付穴
１７  折り返し部
２０  固着部材（ねじ）
２１  頭部
２２  脚部
３０  自動ドア
３１  ドア部材
３２  枠部
３３  振れ止め
３４  ガイドレール
【図１】
2006070501.tif 000003
【図２】
2006070501.tif 000004
【図３】
2006070501.tif 000005
【図４】
2006070501.tif 000006
【図５】
2006070501.tif 000007
【図６】
2006070501.tif 000008
【図７】
2006070501.tif 000009
【図８】
2006070501.tif 000010
【図９】
2006070501.tif 000011
【図１０】
2006070501.tif 000012
【図１１】
2006070501.tif 000013
【図１２】
2006070501.tif 000014
【図１３】
2006070501.tif 000015
【図１４】
2006070501.tif 000016
【図１５】
2006070501.tif 000017
【図１６】
2006070501.tif 000018
【図１７】
2006070501.tif 000019
【図１８】
2006070501.tif 000020
【図１９】
2006070501.tif 000021
【図２０】
2006070501.tif 000022
【手続補正書】
【提出日】平成16年9月13日(2004.9.13)
【手続補正１】
【補正対象書類名】特許請求の範囲
【補正対象項目名】請求項１
【補正方法】変更
【補正の内容】
【請求項１】
オートロック式自動ドアの不正開扉防止具であって、
断面略Ｌ字状の取付部材を少なくとも一つ備え、前記取付部材は、前記自動ドアの露出した面に一つの面を当接させ、前記自動ドアに生じる隙間を被覆して配設されることを特徴とする不正開扉防止具。
【手続補正２】
【補正対象書類名】明細書
【補正対象項目名】００１２
【補正方法】変更
【補正の内容】
【００１２】
前記課題は、請求項１に係る不正開扉防止具によれば、オートロック式自動ドアの不正開扉防止具であって、断面略Ｌ字状の取付部材を少なくとも一つ備え、前記取付部材は、前記自動ドアの露出した面に一つの面を当接させ、前記自動ドアに生じる隙間を被覆して配設される、ことにより解決される。前記取付部材は、室内側または室外側を向いたドア面に一方の面が取り付けられ、他方の面が室内側から室外側、または室外側から室内側へ延出して配設される。
【手続補正書】
【提出日】平成16年12月24日(2004.12.24)
【手続補正１】
【補正対象書類名】特許請求の範囲
【補正対象項目名】全文
【補正方法】変更
【補正の内容】
【特許請求の範囲】
【請求項１】
オートロック式自動ドアの不正開扉防止具であって、
断面略Ｌ字状の取付部材と、該取付部材に係合可能な別部材からなる断面略Ｌ字状の補助部材を備え、
前記取付部材は、前記自動ドアの室内側または室外側を向いたドア面に一つの面を当接させると共に、他方の面が室内側から室外側、または室外側から室内側へ延出して配設され、
前記補助部材は前記自動ドアの下方に一つの面を位置させ、他方の面がドア下方に延出して配設され、
前記断面略Ｌ字状の取付部材と前記断面略Ｌ字状の補助部材を組み合わせて、前記自動ドアに生じる隙間を被覆することを特徴とする不正開扉防止具。
【請求項２】
前記補助部材は樹脂またはゴムからなることを特徴とする請求項１記載の不正開扉防止具。
【請求項３】
前記隙間は前記自動ドアのドア下端部と、前記自動ドアが配設される開口部の下辺との間に生じる隙間であることを特徴とする請求項１記載の不正開扉防止具。
【請求項４】
前記隙間は引分けタイプのドア間の隙間、または片引きタイプのドアと前記ドアが配設される開口部との間に生じる隙間であることを特徴とする請求項１記載の不正開扉防止具。
【請求項５】
前記取付部材は前記自動ドアの枠部に取着されることを特徴とする請求項１記載の不正開扉防止具。
【請求項６】
前記取付部材は金属からなり、該取付部材には固着部材の取付穴が設けられ、
前記取付穴は前記自動ドアの上下方向に延出する第１の取付穴と、該第１の取付穴から左方向に延出する第２の取付穴と、前記第１の取付穴から右方向に延出する第３の取付穴からなる長穴であり、前記固着部材は前記長穴内で移動可能とされ、固定位置を調整可能とされたことを特徴とする請求項１記載の不正開扉防止具。
【請求項７】
前記第２の取付穴と第３の取付穴は位置をずらして配置されていることを特徴とする請求項６記載の不正開扉防止具。
【請求項８】
前記補助部材は前記自動ドアの左右方向に延出する取付穴を備え、該取付穴で固着部材の位置を変えることにより前記取付部材への取付位置が調整されることを特徴とする請求項１記載の不正開扉防止具。
【手続補正２】
【補正対象書類名】明細書
【補正対象項目名】００１２
【補正方法】変更
【補正の内容】
【００１２】
前記課題は、請求項１に係る不正開扉防止具によれば、オートロック式自動ドアの不正開扉防止具であって、断面略Ｌ字状の取付部材と、該取付部材に係合可能な別部材からなる断面略Ｌ字状の補助部材を備え、前記取付部材は、前記自動ドアの室内側または室外側を向いたドア面に一つの面を当接させると共に、他方の面が室内側から室外側、または室外側から室内側へ延出して配設され、前記補助部材は前記自動ドアの下方に一つの面を位置させ、他方の面がドア下方に延出して配設され、前記断面略Ｌ字状の取付部材と前記断面略Ｌ字状の補助部材を組み合わせて、前記自動ドアに生じる隙間を被覆することにより解決される。
【手続補正３】
【補正対象書類名】明細書
【補正対象項目名】００１４
【補正方法】変更
【補正の内容】
【００１４】
前記補助部材は、具体的には樹脂またはゴムから形成されている。
【手続補正４】
【補正対象書類名】明細書
【補正対象項目名】００１５
【補正方法】変更
【補正の内容】
【００１５】
前記隙間とは、前記自動ドアのドア下端部と、前記自動ドアが配設される開口部の下辺との間に生じる隙間である。或いは、前記隙間は引分けタイプのドア間の隙間、または片引きタイプのドアと前記ドアが配設される開口部との間に生じる隙間である
【手続補正５】
【補正対象書類名】明細書
【補正対象項目名】００１６
【補正方法】変更
【補正の内容】
【００１６】
前記取付部材は前記自動ドアの枠部に取着される。
【手続補正６】
【補正対象書類名】明細書
【補正対象項目名】００１８
【補正方法】変更
【補正の内容】
【００１８】
すなわち、前記取付部材は金属からなり、該取付部材には固着部材の取付穴が設けられ、前記取付穴は前記自動ドアの上下方向に延出する第１の取付穴と、該第１の取付穴から左方向に延出する第２の取付穴と、前記第１の取付穴から右方向に延出する第３の取付穴からなる長穴であり、前記固着部材は前記長穴内で移動可能とされ、固定位置を調整可能とされている。また、前記第２の取付穴と第３の取付穴は位置をずらして配置されている。このような構成により、固着部材を、一箇所ではなく、分散させて複数の位置に取り付けることができる。よって、しっかりと安定良く、しかも取り外しが困難な状態で、不正開扉防止具をドアに取り付けることが可能となる。
なお、前記補助部材が前記自動ドアの左右方向に延出する取付穴を備えた構成とし、該取付穴で固着部材の位置を変えることにより前記取付部材への取付位置を調整可能とすると好適である。
【手続補正７】
【補正対象書類名】明細書
【補正対象項目名】００４３
【補正方法】変更
【補正の内容】
【００４３】
不正開扉防止具１０は、ガラス製ドアの枠部３２、木製ドア、金属製ドア等、ねじ２０を固定できるものであれば、どのような素材であっても取り付けることが可能である。
なお、ガラス製の自動ドアのなかには、枠部３２を備えていない構成のものがある。図１５乃至図１７に参考例を示す。この場合は、図１５に示すように、シリコンラバーから形成されている補助部材１５を両面テープや接着剤を使用して取り付けることができる。これにより、ガラスを傷つけることなく隙間の被覆を行なうことが可能となる。また、シリコンラバーであるため、ガラスになじみ良く配設することが可能となる。
【手続補正書】
【提出日】平成17年9月2日(2005.9.2)
【手続補正１】
【補正対象書類名】特許請求の範囲
【補正対象項目名】請求項１
【補正方法】変更
【補正の内容】
【請求項１】
オートロック式自動ドアに振れ止めとは別に後から取り付けられる不正開扉防止具であって、
断面略Ｌ字状の取付部材と、該取付部材に係合可能な別部材からなる断面略Ｌ字状の補助部材を備え、
前記取付部材は、前記自動ドアの室内側または室外側を向いたドア面に断面略Ｌ字状の一つの面を当接させると共に、断面略Ｌ字状の他方の面が室内側から室外側、または室外側から室内側へ延出して配設され、
前記補助部材は前記自動ドアの下面に断面略Ｌ字状の一つの面を位置させ、断面略Ｌ字状の他方の面が前記自動ドアの下面より下方に延出して配設され、
前記補助部材の、前記自動ドアの下面より下方に延出する部分は前記自動ドアのガイドレールの開口部の幅よりも狭く形成され、
前記断面略Ｌ字状の取付部材と前記断面略Ｌ字状の補助部材を組み合わせて、前記自動ドアに生じる隙間を被覆することを特徴とする不正開扉防止具。
【手続補正２】
【補正対象書類名】明細書
【補正対象項目名】００１２
【補正方法】変更
【補正の内容】
【００１２】
前記課題は、請求項１に係る不正開扉防止具によれば、オートロック式自動ドアに振れ止めとは別に後から取り付けられる不正開扉防止具であって、断面略Ｌ字状の取付部材と、該取付部材に係合可能な別部材からなる断面略Ｌ字状の補助部材を備え、前記取付部材は、前記自動ドアの室内側または室外側を向いたドア面に断面略Ｌ字状の一つの面を当接させると共に、断面略Ｌ字状の他方の面が室内側から室外側、または室外側から室内側へ延出して配設され、前記補助部材は前記自動ドアの下面に断面略Ｌ字状の一つの面を位置させ、断面略Ｌ字状の他方の面が前記自動ドアの下面より下方に延出して配設され、前記補助部材の、前記自動ドアの下面より下方に延出する部分は前記自動ドアのガイドレールの開口部の幅よりも狭く形成され、前記断面略Ｌ字状の取付部材と前記断面略Ｌ字状の補助部材を組み合わせて、前記自動ドアに生じる隙間を被覆することにより解決される。
【手続補正書】
【提出日】平成17年9月30日(2005.9.30)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
オートロック式自動ドアに振れ止めとは別に後から取り付けられる不正開扉防止具であって、
断面略Ｌ字状の取付部材と、該取付部材に係合可能な別部材からなる断面略Ｌ字状の補助部材を備え、
前記取付部材は、前記自動ドアの室内側または室外側を向いたドア面に断面略Ｌ字状の一つの面を当接させると共に、断面略Ｌ字状の他方の面が室内側から室外側、または室外側から室内側へ延出して配設され、
前記補助部材は前記自動ドアの下面に断面略Ｌ字状の一つの面を位置させ、断面略Ｌ字状の他方の面が前記自動ドアの下面より下方に延出して配設され、
前記補助部材の、前記自動ドアの下面より下方に延出する部分は前記自動ドアのガイドレールの開口部の幅よりも狭く形成され、
前記断面略Ｌ字状の取付部材と前記断面略Ｌ字状の補助部材を組み合わせて、前記自動ドアに生じる隙間を被覆することを特徴とする不正開扉防止具。
【請求項２】
前記補助部材は樹脂またはゴムからなることを特徴とする請求項１記載の不正開扉防止具。
【請求項３】
前記隙間は前記自動ドアのドア下端部と、前記自動ドアが配設される開口部の下辺との間に生じる隙間であることを特徴とする請求項１記載の不正開扉防止具。
【請求項４】
前記隙間は引分けタイプのドア間の隙間、または片引きタイプのドアと前記ドアが配設される開口部との間に生じる隙間であることを特徴とする請求項１記載の不正開扉防止具。
【請求項５】
前記取付部材は前記自動ドアの枠部に取着されることを特徴とする請求項１記載の不正開扉防止具。
【請求項６】
前記取付部材は金属からなり、該取付部材には固着部材の取付穴が設けられ、
前記取付穴は前記自動ドアの上下方向に延出する第１の取付穴と、該第１の取付穴から左方向に延出する第２の取付穴と、前記第１の取付穴から右方向に延出する第３の取付穴からなる長穴であり、前記固着部材は前記長穴内で移動可能とされ、固定位置を調整可能とされたことを特徴とする請求項１記載の不正開扉防止具。
【請求項７】
前記第２の取付穴と第３の取付穴は位置をずらして配置されていることを特徴とする請求項６記載の不正開扉防止具。
【請求項８】
前記補助部材は前記自動ドアの左右方向に延出する取付穴を備え、該取付穴で固着部材の位置を変えることにより前記取付部材への取付位置が調整されることを特徴とする請求項１記載の不正開扉防止具。